(57)【要約】【課題】装置の振動をより低減させることが可能なディスク装置を提供する。【解決手段】本発明のディスク装置１００は、ディスクを回転させるスピンドルモータ１１５と、ディスクの信号を読み取りまたは記録する光ピックアップ部とが設けられるベースユニット１１０と、ベースユニット１１０を保持するトレイ１２０と、トレイ１２０を出し入れ可能に保持するレールトレイ１３０と、トレイ１２０およびレールトレイ１３０を収容する収容部１４０とを備える。かかるディスク装置１００は、ベースユニット１１０とトレイ１２０とは第１のインシュレータ１５０を介して接続され、レールトレイ１３０と収容部１４０とは第２のインシュレータ１６０を介して接続される。そして、ベースユニット１１０と収容１４０部とは互いに接触しないように設けられる。【選択図】図１
2010015649.tif 000002
【特許請求の範囲】
【請求項１】
ディスクを回転させる回転駆動部と、前記ディスクの信号を読み取りまたは記録する光ピックアップ部とが設けられるベースユニットと、
前記ベースユニットを保持するトレイと、
前記トレイを出し入れ可能に保持するレールトレイと、
前記トレイおよび前記レールトレイを収容する収容部と、
を備え、
前記ベースユニットと前記トレイとは第１の弾性部材を介して接続され、
前記レールトレイと前記収容部とは第２の弾性部材を介して接続され、
前記ベースユニットと前記収容部とは互いに接触しないように設けられる、ディスク装置。
【請求項２】
前記第１の弾性部材は共振点が高く、前記第２の弾性部材は共振点が低い、請求項１に記載のディスク装置。
【請求項３】
前記トレイは、前記トレイを排出するための排出機構を備え、
前記レールトレイは、前記排出機構の排出力が作用する接触面を備える、請求項１または２に記載のディスク装置。
【請求項４】
前記トレイは、前記トレイが前記収容部に収容された状態を保持するロック機構を備え、
前記レールトレイは、前記ロック機構と係合するロック部材を備える、請求項１〜３のいずれかに記載のディスク装置。
【発明の詳細な説明】
【技術分野】
【０００１】
本発明は、ディスク装置に関し、より詳細には、ディスクに対して情報信号を記録したり、ディスクに記録された信号を読み取ることの可能なディスク装置に関する。
に関する。
【背景技術】
【０００２】
近年、情報記録媒体であるディスクに対して情報信号の記録／再生を行うディスク装置は、記録再生性能の高速化に関し、著しい進歩を遂げてきた。また、コンピュータ装置の薄型化や多様なデザイン、ノート型パーソナルコンピュータの需要増大に伴い、薄型のディスク装置の需要が増加している。例えば、近年の薄型光ディスクドライブにおいては、１２ｃｍ径ディスクを最高約５０００回転強の回転数で回転させている。
【０００３】
ところで、光ディスクのような記録媒体は、製造過程における材質のばらつき、レーベル面への可視情報の印刷やステッカー等の貼り付けなどによって、ディスクごとの偏重心が生じてしまう。偏重心が生じたディスクを高速回転させると振動が発生し、装置外部へ伝達してしまったり、光ピックアップ装置によるディスクの信号記録面に対するフォーカスおよびトラッキング、磁気ヘッド装置によるディスクへの追従が良好に行われなくなったりする。
【０００４】
このような問題に対して、ディスク装置には、通常、振動を低減させるための弾性部材であるインシュレータが設けられる。例えば、特許文献１の光ディスク装置は、可動部の収容空間を有する装置本体と、この装置本体に一対のレールによって出し入れ自在に支持された可動部とを備える。可動部は、メインシャーシと、スピンドルモータや光ピックアップ等が搭載されたサブシャーシとからなり、サブシャーシは防振機構であるインシュレータを介してメインシャーシに支持されている。
【０００５】
【特許文献１】特開２００６−１３４３７２号公報
【発明の開示】
【発明が解決しようとする課題】
【０００６】
特許文献１の光ディスク装置において、振動を吸収する部材はインシュレータのみであるため、インシュレータの特性によって装置の振動の大きさが決定する。しかし、外部からの衝撃による装置内部の緩衝や搭載スペースの観点から、薄型のディスク装置においては十分に振動を吸収できるインシュレータを選択することは困難である。インシュレータには、一般的に衝撃特性等を考慮して共振点の高い、硬いものが用いられる。しかしながら、硬いインシュレータは外部からの衝撃には強いが、内部からの振動を外部へ伝達しやすい特性がある。一方、共振点の低い、柔らかいインシュレータは、内部の振動を外部に伝達しにくくなるが、外部からの衝撃には弱くなる。
【０００７】
そこで、本発明は、上記問題に鑑みてなされたものであり、本発明の目的とするところは、インシュレータの適切な配置により装置の振動をより低減させることが可能な、新規かつ改良されたディスク装置を提供することにある。
【課題を解決するための手段】
【０００８】
上記課題を解決するために、本発明のある観点によれば、ディスクを回転させる回転駆動部と、ディスクの信号を読み取りまたは記録する光ピックアップ部とが設けられるベースユニットと、ベースユニットを保持するトレイと、トレイを出し入れ可能に保持するレールトレイと、トレイおよびレールトレイを収容する収容部とを備えるディスク装置が提供される。かかるディスク装置は、ベースユニットとトレイとは第１の弾性部材を介して接続され、レールトレイと収容部とは第２の弾性部材を介して接続される。そして、ベースユニットと収容部とは互いに接触しないように設けられる。
【０００９】
本発明によれば、ベースユニットとトレイとを第１の弾性部材を介して接続し、レールトレイと収容部とを第２の弾性部材を介して接続する。かかる構成により、ディスクの偏重心等により発生するベースユニットの振動をトレイに伝達し、トレイをベースユニットの変わりに振動させる。すなわち、トレイを動吸振器として機能させることにより、ベースユニットの振動を抑制し、収容部に伝達される振動を低減することができる。また、ベースユニットと収容部とを接触させないことにより、トレイの動吸振器としての機能を効果的に発揮させることができる。
【００１０】
ここで、第１の弾性部材には共振点の高い弾性部材を用いることができ、第２の弾性部材には共振点の低い弾性部材を用いることができる。
【００１１】
また、トレイは、トレイを排出するための排出機構を備えることができる。このとき、レールトレイには、排出機構の排出力が作用する接触面が設けられる。
【００１２】
さらに、トレイは、トレイが収容部に収容された状態を保持するロック機構を備えることができる。このとき、レールトレイは、ロック機構と係合するロック部材を備える。
【発明の効果】
【００１３】
以上説明したように本発明によれば、インシュレータの適切な配置により装置の振動をより低減させることが可能な、ディスク装置を提供することができる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
まず、図１〜図３Ｂに基づいて、本発明の実施形態にかかるディスク装置１００の構成について説明する。なお、図１は、本実施形態にかかるディスク装置１００の構成を示す分解斜視図である。図２は、本実施形態にかかるディスク装置１００を示す平面図である。図３Ａは、本実施形態にかかるディスク装置１００を示す側面図であって、収容部１４０を除いた状態を示す。図３Ｂは、本実施形態にかかるディスク装置１００を示す側面図であって、収容部１４０を含んだ状態を示す。
【００１６】
＜ディスク装置の構成＞
本実施形態にかかるディスク装置１００は、光ディスクの情報記録面に対して、新たに情報信号を記録（書き込み）したり、予め記録されている情報信号を再生（読み出し）したりする装置である。光ディスクとしては、例えばＣＤ−Ｒ（Ｃｏｍｐａｃｔ  Ｄｉｓｃ−Ｒｅｃｏｒｄａｂｌｅ）やＤＶＤ−ＲＷ（Ｄｉｇｉｔａｌ  ｖｅｒｓａｔｉｌｅ  Ｄｉｓｃ−Ｒｅｗｒｉｔａｂｌｅ）等のディスク状の記録媒体を用いることができる。本実施形態にかかるディスク装置１００は、図１および図２に示すように、ベースユニット１１０と、トレイ１２０と、レールトレイ１３０と、収容部１４０とを備えて構成される。
【００１７】
ベースユニット１１０は、光ピックアップ部（図示せず。）やスピンドルモータ１１５を備える基台である。ベースユニット１１０は、例えば板状の部材からなり、その３隅にはベースユニット１１０をトレイ１２０に固定するための固定部材１５７が挿通される貫通孔が形成されている。ベースユニット１１０は、ワッシャ１５５および振動や衝撃を抑制する第１のインシュレータ１５０を介して貫通孔に挿入された固定部材１６４によりトレイ１２０の背面に固定される。
【００１８】
ベースユニット１１０に搭載される光ピックアップ部は、光ピックアップにより光ディスクへ情報信号を記録したり、光ディスクから情報を読み取る機能部である。光ピックアップ部は、光ディスクに対して光を照射する発光部と光ディスクで反射された光を受光する受光部とからなる光ピックアップと、光ディスクの情報記録位置に応じて光ピックアップを光ディスクの径方向に駆動する駆動部とを備える。光ピックアップ部は、トレイ１２０の底面と対向するように、ベースユニット１１０の上面側に載置される。
【００１９】
また、スピンドルモータ１１５は、光ディスクを回転させる回転駆動部である。スピンドルモータ１１５は、その回転軸に光ディスクを固定するチャッキング部を備える。光ディスクは、チャッキング部に固定されることにより、スピンドルモータ１１５の回転駆動力により回転される。スピンドルモータ１１５は、光ピックアップ部と同様に、トレイ１２０の底面と対向するようにベースユニット１１０の上面側に載置される。
【００２０】
トレイ１２０は、光ピックアップ部およびスピンドルモータ１１５が設けられたベースユニット１１０が固定される。トレイ１２０は、ベースユニット１１０の光ピックアップ部およびスピンドルモータ１１５に対応する位置に開口部１２２が形成されている。これにより、光ピックアップ部およびスピンドルモータ１１５と光ディスクとが直接対向可能となる。トレイ１２０は、スピンドルモータ１１５のチャッキング部に固定された光ディスクの情報記録面の一部を覆う形状を有する。トレイ１２０の両側面には、トレイ１２０を収容部１４０に対して出し入れ可能にするための一対のレール１２４が取り付けられる溝１２６が形成される。一対のレール１２４は、トレイ１２０の溝１２６に沿って摺動可能に設けられるとともに、レールトレイ１３０のガイド部材１３４に沿って摺動可能に設けられる。
【００２１】
レールトレイ１３０は、トレイ１２０を出し入れ可能に保持する部材である。レールトレイ１３０は、トレイ１２０が開口する略コの字形状に形成され、対向する一対の保持部１３２の内側面には一対のレール１２４を案内するガイド部材１３４がそれぞれ設けられる。レールトレイ１３０は、収容部１４０に収容され、収容部１４０の内側面に沿うように配置される。このとき、レールトレイ１３０は、第２のインシュレータを介して収容部１４０に支持される。
【００２２】
収容部１４０は、ベースユニット１１０を保持するトレイ１２０およびレールトレイ１３０を収容する。収容部１４０は、トレイ１２０の出し入れ口および上面部が開口する略直方体の外装であって、ディスク装置１００の大きさを規定する。収容部１４０の底面の４隅には、第２のインシュレータ１６０を介してレールトレイ１３０を支持するため突起ピン１４２が設けられる。
【００２３】
以上、本実施形態にかかるディスク装置１００の全体構成について説明した。次に、図４Ａおよび図４Ｂに基づいて、本実施形態にかかるディスク装置１００の構成による作用について説明する。なお、図４Ａは、一般的な動吸振器の構成を示す説明図である。図４Ｂは、本実施形態にかかるディスク装置１００の構成を示す説明図である。
【００２４】
＜本実施形態にかかるディスク装置の構成による振動抑制作用＞
本実施形態にかかるディスク装置１００は、装置外部への振動の伝達を低減させるため、トレイ１２０を動吸振器として作用するように構成される。動吸振器は、動きを吸収する制御装置であって、一般的には、図４Ａに示すように、接面１０にばね１２およびダンパ１３を介して接続された制御対象２０の振動を、制御対象２０にばね１４およびダンパ１５を介して接続された質量３０の動きによって吸収する。かかる動吸振器の作用に基づき、本実施形態にかかるディスク装置１００は、制御対象であるベースユニット１１０の振動をトレイ１２０の動きによって吸収させ、収容部１４０に伝達する振動を低減するように構成されている。
【００２５】
ディスク装置１００は、ベースユニット１１０とトレイ１２０との間にばね１２およびダンパ１３として機能する第１のインシュレータ１５０を備え、レールトレイ１３０と収容部１４０との間にばね１４およびダンパ１５として機能する第２のインシュレータ１６０を備える。すなわち、図４Ｂに示すように、光ディスクの偏重心等により生じるベースユニット１１０の振動は第１のインシュレータ１５０を介してトレイ１２０に伝達され、トレイ１２０がベースユニット１１０の代わりに振動する。トレイ１２０の振動は第２のインシュレータ１６０により吸収させ、収容部１４０の振動を抑制する。
【００２６】
ここで、インシュレータは、衝撃を吸収、緩衝する弾性部材である。インシュレータには様々な硬さの弾性部材を用いることができるが、硬いインシュレータは、共振点が高く、外部からの衝撃に強い特性を有する。一方、柔らかいインシュレータは共振点が低く、光ディスクの偏心等による内部からの振動を外部へ伝達しにくい特性を有する。そこで、本実施形態のディスク装置１００では、第１のインシュレータ１５０に共振点の高い、硬いインシュレータを用いてベースユニット１１０の振動をトレイ１２０に伝達させる。一方、第２のインシュレータ１６０には共振点の低い、柔らかいインシュレータを用い、トレイ１２０の振動を収容部１４０に伝達しないようにする。
【００２７】
このように、２つのインシュレータを用いて図４Ｂに示すようにディスク装置１００を構成することにより、既存の構成部材であるトレイ１２０を動吸振器として機能させることができ、ベースユニット１１０および収容部１４０の振動を低減させることができる。これにより、薄型のディスク装置等のように部材の搭載スペースに制限がある場合にも動吸振器のための質量を別途設けることなく、動吸振器としての機能を発揮させることができる。
【００２８】
＜ベースユニットと収容部との分離＞
ここで、ディスク装置１００は、ベースユニット１１０の振動を収容部１４０に伝達させないために、ベースユニット１１０と収容部１４０とが接触しないように構成される。このため、レールトレイ１３０と収容部１４０との接続に際して、まず、収容部１４０の突起ピン１４２に第２のインシュレータ１６０を取り付ける。第２のインシュレータ１６０は、図１に示すように、高さ方向に貫通孔を有する略円柱形状の弾性部材であって、その外周面には周方向に沿った溝が形成されている。第２のインシュレータ１６０の貫通孔には突起ピン１４２が挿通され、外周面の溝はレールトレイ１３０のインシュレータ取付部（図示せず。）に取り付けられる。これにより、レールトレイ１３０は、直接収容部１４０に接することなく、第２のインシュレータ１６０のみを介して収容部１４０に接続される。
【００２９】
また、本実施形態にかかるディスク装置１００は、図４Ｂに示す構成とするために、トレイ１２０を排出させるための排出機構１７０およびトレイ１２０が収容部１４０に収容された状態を保持するロック機構１８０を、図５〜図７に示すように配置する。なお、図５は、本実施形態にかかるディスク装置１００を示す底面図であって、トレイ１２０が収容部１４０から引き出された状態を示す。図６は、本実施形態にかかるディスク装置１００を示す底面図であって、トレイ１２０が収容部１４０に収容された状態を示す。図７は、本実施形態にかかるディスク装置１００のトレイ１２０およびレールトレイ１３０を背面から見た状態を示す斜視図である。
【００３０】
本実施形態にかかるディスク装置１００は、図５〜図７に示すように、トレイ１２０を排出させるための排出機構１７０をトレイ１２０に備える。排出機構１７０は、図５に示すように、レール１２４に対して略平行に設けられる略円柱形状の軸部１７２に、排出力を生じさせるコイルばね１７４を挿通して構成される。軸部１７２は、軸部本体の径よりも大きい径を有してコイルばね１７４の一端と当接する頭部１７２ａと、頭部１７２ａとの間に設けられたコイルばね１７４の他端と当接するように周方向に突出した突出部１７２ｂとを備える。軸部１７２は、トレイ１２０の背面に設けられた支持部１２７ａ、１２７ｂにより、コイルばね１７４を挟んで、トレイの出し入れ方向に摺動可能に支持されている。このとき、一の支持部１２７ａは、頭部１７２ａとコイルばね１７４との間に位置し、他の支持部１２７ｂは、突出部１７２ｂと端部１７２ｃとの間に位置する。また、レールトレイ１３０には、排出機構１７０の排出力が作用する接触面１３６が設けられる。接触面１３６には、軸部１７２の端部１７２ｃが当接する。
【００３１】
図５に示すように、トレイ１２０が収容部１４０から引き出された状態では、排出機構１７０のコイルばね１７４は僅かに収縮した状態で設けられている。一方、トレイ１２０が収容部１４０に押し込まれると、排出機構１７０もトレイ１２０の移動に伴って収容部１４０の内部へ移動する。そして、軸部１７２の一端がレールトレイ１３０の接触面１３６に接触し、さらにトレイ１２０が収容部１４０に押し込まれると、図６に示すように、コイルばね１７４は圧縮された状態となる。この状態でロック機構１８０によりトレイ１２０が収容部１４０に収容された状態が保持される。
【００３２】
ロック機構１８０は、図５〜図７に示すように、トレイ１２０の背面に設けられる。また、ロック機構１８０に係合するロック部材１８５がレールトレイ１３０に設けられる。ロック部材１８５は、図７に示すように、レールトレイ１３０の保持部１３２の先端に設けられる。トレイ１２０が収容部１４０に押し込まれ、収容部１４０に完全に収容されると、ロック部材１８５はトレイ１２０に設けられたロック機構１８０と係合する。これにより、トレイ１２０が収容部１４０に収容された状態が保持される。
【００３３】
トレイ１２０の前面部１２８に設けられたボタン１２９を押下すると、それに応じて信号が発生する。ディスク装置１００の情報処理部（図示せず。）は、この信号を検知するとトレイ１２０の排出の可否を判断する。そして、トレイ１２０を排出してもよいと判断された場合には、電磁石を作動させてロック部材１８５とロック機構１８０との係合を解除し、ロック状態を解除する。そうすると、排出機構１７０の圧縮されたコイルばね１７４が元の状態に戻ろうとして伸張し、排出力を発生する。これにより、軸部１７２を支持する一の支持部１２７ａがコイルばね１７４によって引き出し口側へ押され、支持部１２７ａが固定されたトレイ１２０が収容部１４０から排出される。
【００３４】
このように、トレイ１２０の排出機構１７０およびロック機構１８０をトレイ１２０およびレールトレイ１３０に設けることにより、ベースユニット１１０を搭載したトレイ１２０と収容部１４０とを分離することができる。これにより、第２のインシュレータ１６０でのみの接続状態を保持することができ、トレイ１２０を動吸振器として効果的に機能させることができる。
【００３５】
以上、本発明の実施形態にかかるディスク装置１００について説明した。本実施形態にかかるディスク装置１００によれば、ベースユニット１１０とトレイ１２０とを第１のインシュレータ１５０を介して接続し、レールトレイ１３０と収容部１４０とを第２のインシュレータ１６０を介して接続する。かかる構成により、ディスクの偏重心等により発生するベースユニット１１０の振動をトレイ１２０に伝達し、トレイ１２０をベースユニット１１０の代わりに振動させる。このように、トレイ１２０を動吸振器として機能させることにより、ベースユニット１１０の振動を抑制し、収容部１４０に伝達される振動を低減することができる。また、ベースユニット１１０と収容部１４０とを接触させないことにより、トレイ１２０の動吸振器としての機能を効果的に発揮させることができる。
【００３６】
また、第１のインシュレータ１５０に共振点の高い、硬いインシュレータを用いることにより、ベースユニット１１０の振動をトレイ１２０に伝達させ易くなる。一方、第２のインシュレータ１６０には共振点の低い、柔らかいインシュレータを用いることにより、トレイ１２０の振動を収容部１４０に伝達させ難くすることができる。
【００３７】
さらに、トレイ１２０を排出するための排出機構１７０をトレイ１２０に備え、排出機構１７０の排出力が作用する接触面１３６をレールトレイ１３０に設ける。また、トレイ１２０が収容部１４０に収容された状態を保持するロック機構１８０をトレイ１２０に備え、ロック機構１８０と係合するロック部材１８５をレールトレイ１３０に設ける。このように、排出機構１７０およびロック機構１８０をトレイ１２０およびレールトレイ１３０に設けることにより、レールトレイ１３０を第２のインシュレータ１６０のみを介して収容部１４０に接続させることができる。したがって、トレイ１２０に保持されたベースユニット１１０と収容部１４０との接触をなくすことができる。
【００３８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００３９】
例えば、上記実施形態では、排出機構１７０の排出力を発生させるためにコイルばね１７４を用いたが、本発明はかかる例に限定されない。例えば、トレイ１２０を排出する排出力を生じさせることの可能な弾性を有するゴム等の弾性部材を用いてもよい。
【図面の簡単な説明】
【００４０】
【図１】本発明の実施形態にかかるディスク装置の構成を示す分解斜視図である。
【図２】同実施形態にかかるディスク装置を示す平面図である。
【図３Ａ】同実施形態にかかるディスク装置を示す側面図であって、収容部を除いた状態を示す。
【図３Ｂ】同実施形態にかかるディスク装置を示す側面図であって、収容部を含んだ状態を示す。
【図４Ａ】一般的な動吸振器の構成を示す説明図である。
【図４Ｂ】同実施形態にかかるディスク装置の構成を示す説明図である。
【図５】同実施形態にかかるディスク装置を示す底面図であって、トレイが引き出された状態を示す。
【図６】同実施形態にかかるディスク装置を示す底面図であって、トレイが収容された状態を示す。
【図７】同実施形態にかかるディスク装置のトレイおよびレールトレイを背面から見た状態を示す斜視図である。
【符号の説明】
【００４１】
１００    ディスク装置
１１０    ベースユニット
１１５    スピンドルモータ
１２０    トレイ
１２４    レール
１２６    溝
１３０    レールトレイ
１３２    保持部
１３４    ガイド部材
１３６    接触面
１４０    収容部
１４２    突起ピン
１５０    第１のインシュレータ
１６０    第２のインシュレータ
１７０    排出機構
１７２    軸部
１７４    コイルばね
１８０    ロック機構
１８５    ロック部材
【図１】
2010015649.tif 000003
【図２】
2010015649.tif 000004
【図３Ａ】
2010015649.tif 000005
【図３Ｂ】
2010015649.tif 000006
【図４Ａ】
2010015649.tif 000007
【図４Ｂ】
2010015649.tif 000008
【図５】
2010015649.tif 000009
【図６】
2010015649.tif 000010
【図７】
2010015649.tif 000011